(57)【要約】【課題】光源の輝度の変更を容易に行うことが可能なプロジェクタ及びその制御方法を提供する。【解決手段】プロジェクタ１の電源をオンにする際に、ユーザは、操作ツマミをスライド操作してレンズカバーを第１の開位置、或いは第２の開位置に合わせておくことにより、所望の輝度で入力画像を表示させることができる。また、ユーザは、レンズカバーを第１の開位置よりも閉塞方向側に位置させておくことにより、入力画像の表示が停止した画像ミュート状態とすることができる。また、オン状態では、制御部２０は、定期的にカバー検出部３１からの検出結果を監視するようになっている。そして、ユーザの操作によりレンズカバーが移動して、それに応じてカバー検出部３１の検出結果が変化すると、制御部２０は、レンズカバーの位置に基づいて光源１１の輝度或いは画像の表示状態を変化させる。【選択図】図４
2009075305.tif 000002
【特許請求の範囲】
【請求項１】
光源と、
前記光源から射出された光を、外部から入力される画像信号に応じて変調し、前記画像信号に基づく画像を形成する光変調装置と、
前記光変調装置で形成された前記画像を投写する投写光学系と、
前記投写光学系の射出側に開閉可能に備えられたカバー部材と、
前記カバー部材の位置を検出する位置検出部と、
前記光源の点灯状態を制御する光源制御部と、
を備え、
前記光源制御部は、前記位置検出部の検出結果に応じて前記光源の輝度を変更することを特徴とするプロジェクタ。
【請求項２】
請求項１に記載のプロジェクタであって、
前記カバー部材は、前記投写光学系を閉塞する閉位置から、前記投写光学系を露出させる第１の開位置を経て、前記第１の開位置よりも開放方向側に位置する第２の開位置に至る区間を移動可能に構成されており、
前記光源制御部は、前記カバー部材が前記第１の開位置から前記第２の開位置に至る区間に位置する場合に、前記位置検出部の検出結果に応じて前記光源の輝度を変更することを特徴とするプロジェクタ。
【請求項３】
請求項２に記載のプロジェクタであって、
前記光源制御部は、前記カバー部材が前記開放方向に位置する場合ほど、前記光源の輝度を高くすることを特徴とするプロジェクタ。
【請求項４】
請求項２に記載のプロジェクタであって、
前記カバー部材が前記第１の開位置よりも閉塞方向側に位置する場合に、前記画像信号に基づく前記画像の投写を停止させる画像停止部をさらに備えたことを特徴とするプロジェクタ。
【請求項５】
光源と、
前記光源から射出された光を、外部から入力される画像信号に応じて変調し、前記画像信号に基づく画像を形成する光変調装置と、
前記光変調装置で形成された前記画像を投写する投写光学系と、
前記投写光学系の射出側に開閉可能に備えられ、前記投写光学系を閉塞する閉位置から、前記投写光学系を露出させる第１の開位置を経て、前記第１の開位置よりも開放方向に位置する第２の開位置に至る区間を移動可能なカバー部材と、
を有するプロジェクタの制御方法であって、
前記カバー部材の位置を検出する第１のステップと、
前記第１のステップにおける検出結果に基づいて、前記光源の輝度を変更する第２のステップと、
を備えたことを特徴とするプロジェクタの制御方法。
【発明の詳細な説明】
【技術分野】
【０００１】
本発明は、光源から射出された光を変調して投写するプロジェクタ及びその制御方法に関する。
【背景技術】
【０００２】
光源から射出された光を変調して投写するプロジェクタにおいて、光源の輝度を調整可能なプロジェクタが知られている。このようなプロジェクタを用いれば、ユーザは、鑑賞環境（周囲の明るさ）や鑑賞する画像の種別（コンテンツ）等に応じて適切な輝度で画像を鑑賞することが可能となる。従来、この種のプロジェクタで輝度を調整するためには、所定のキー操作を行って設定メニューを表示させた後、さらに所定のキー操作を行って所望の輝度を選択する必要があった。
【０００３】
特許文献１には、周囲の明るさに応じて自動的に輝度調整を行う映像投写装置（プロジェクタ）が提案されている。この映像投写装置によれば、キー操作を行うことなく輝度調整がなされるため、ユーザの利便性を向上させることが可能になっている。
【０００４】
【特許文献１】特開平７−１６２７９１号公報
【発明の開示】
【発明が解決しようとする課題】
【０００５】
しかしながら、特許文献１に記載の映像投写装置は、例えば、画像のコンテンツに応じて輝度を調整する場合のように、周囲の明るさ以外の要因によって輝度を調整する場合には、キー操作等による煩雑な操作が必要になってしまうことが考えられる。
【課題を解決するための手段】
【０００６】
本発明は、上述の課題の少なくとも一部を解決するためになされたものであり、以下の形態又は適用例として実現することが可能である。
【０００７】
［適用例１］本適用例に係るプロジェクタは、光源と、前記光源から射出された光を、外部から入力される画像信号に応じて変調し、前記画像信号に基づく画像を形成する光変調装置と、前記光変調装置で形成された前記画像を投写する投写光学系と、前記投写光学系の射出側に開閉可能に備えられたカバー部材と、前記カバー部材の位置を検出する位置検出部と、前記光源の点灯状態を制御する光源制御部と、を備え、前記光源制御部は、前記位置検出部の検出結果に応じて前記光源の輝度を変更することを特徴とする。
【０００８】
このプロジェクタによれば、画像を投写する投写光学系の射出側に備えられたカバー部材を移動させることによって光源の輝度を変更する構成であるため、光源の輝度の変更を容易且つ直感的に行うことが可能となる。
【０００９】
［適用例２］上記適用例に係るプロジェクタにおいて、前記カバー部材は、前記投写光学系を閉塞する閉位置から、前記投写光学系を露出させる第１の開位置を経て、前記第１の開位置よりも開放方向側に位置する第２の開位置に至る区間を移動可能に構成されており、前記光源制御部は、前記カバー部材が前記第１の開位置から前記第２の開位置に至る区間に位置する場合に、前記位置検出部の検出結果に応じて前記光源の輝度を変更することが望ましい。
【００１０】
［適用例３］上記適用例に係るプロジェクタにおいて、前記光源制御部は、前記カバー部材が前記開放方向に位置する場合ほど、前記光源の輝度を高くすることが望ましい。
【００１１】
このプロジェクタによれば、カバー部材を開放方向に移動させるほど光源の輝度が高くなるため、光源の輝度の変更をさらに直感的に行うことが可能となる。
【００１２】
［適用例４］上記適用例に係るプロジェクタにおいて、前記カバー部材が前記第１の開位置よりも閉塞方向側に位置する場合に、前記画像信号に基づく前記画像の投写を停止させる画像停止部をさらに備えることが望ましい。
【００１３】
このプロジェクタによれば、カバー部材を閉位置に位置させた場合には、画像の投写が停止し、カバー部材を開放させて第１の開位置から第２の開位置に向けて開放方向に移動させるにつれて光源が高輝度で点灯する。このため、画像の投写を停止した状態と、画像を低輝度で投写する状態と、画像を高輝度で投写する状態とを一連の操作で切り替えることが可能となるため、光源の輝度の変更をさらに直感的に行うことが可能となる。
【００１４】
［適用例５］本適用例に係るプロジェクタの制御方法は、光源と、前記光源から射出された光を、外部から入力される画像信号に応じて変調し、前記画像信号に基づく画像を形成する光変調装置と、前記光変調装置で形成された前記画像を投写する投写光学系と、前記投写光学系の射出側に開閉可能に備えられ、前記投写光学系を閉塞する閉位置から、前記投写光学系を露出させる第１の開位置を経て、前記第１の開位置よりも開放方向に位置する第２の開位置に至る区間を移動可能なカバー部材と、を有するプロジェクタの制御方法であって、前記カバー部材の位置を検出する第１のステップと、前記第１のステップにおける検出結果に基づいて、前記光源の輝度を変更する第２のステップと、を備えたことを特徴とする。
【００１５】
このプロジェクタの制御方法によれば、画像を投写する投写光学系の射出側に備えられたカバー部材を移動させることによって光源の輝度を変更する構成であるため、輝度の変更を容易且つ直感的に行うことが可能となる。
【００１６】
また、上述したプロジェクタ及びその制御方法がプロジェクタに備えられたコンピュータ（ＣＰＵ）を用いて構築されている場合には、上記形態及び上記適用例は、その機能を実現するためのプログラム、或いは当該プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、プロジェクタの内部記憶装置（ＲＡＭやＲＯＭ等のメモリ）、及び外部記憶装置等、前記コンピュータが読み取り可能な種々の媒体を利用することができる。
【発明を実施するための最良の形態】
【００１７】
（第１実施形態）
以下、第１実施形態に係るプロジェクタについて、図面を参照して説明する。本実施形態のプロジェクタは、光源から射出された光を変調して、外部から入力される画像信号に基づく画像（入力画像）を形成し、この入力画像を投写レンズによりスクリーン等に拡大投写するものである。
【００１８】
図１は、本実施形態のプロジェクタの斜視図である。なお、これ以降、プロジェクタを机上等に載置して使用している状態において、プロジェクタの前面（投写レンズが露出する面）に向かって、右方向を＋Ｘ方向、奥行き方向を＋Ｙ方向、上方向を＋Ｚ方向とする。
図１に示すように、プロジェクタ１は、装置本体が略箱型の筐体２によって覆われた構成になっている。筐体２の上面２ｔには、ユーザにより入力操作が行われる複数の操作キーを備えた操作パネル２２が設けられ、操作パネル２２の近傍には、プロジェクタ１の動作状態を報知するためのＬＥＤ表示部３０が備えられている。
【００１９】
筐体２の前面２ｆには、投写レンズ１３の射出面を露出させるための開口部３が形成されている。開口部３には、カバー部材としてのレンズカバー４が開閉可能に備えられており、開口部３をレンズカバー４で閉塞することによって、投写レンズ１３を保護することが可能になっている。レンズカバー４は、合成樹脂製で略矩形の板状体であり、その１つの角部には、開閉操作を行うための操作ツマミ４ａが一体的に形成されている（図３参照）。操作ツマミ４ａは、筐体２の上面２ｔに形成されたスリット５から露出しており、そのスリット５に沿って操作ツマミ４ａを±Ｘ方向にスライド操作することによって、レンズカバー４の開閉を行うことができる。また、操作ツマミ４ａは、筐体２の上面２ｔよりも上方に突出するようになっており、スライド操作を容易にしている。
【００２０】
図２は、プロジェクタ１の平面図であり、スリット５の周辺の部位を部分的に示している。また、図３（ａ）〜（ｃ）は、プロジェクタ１の正面図であり、レンズカバー４の開閉状態を示している。
図２に示すように、スリット５は、Ｘ軸、即ち筐体２の前面２ｆと略平行に形成されており、レンズカバー４は、操作ツマミ４ａがスリット５の右端部（＋Ｘ側端部）５Ｒに当接する位置から、操作ツマミ４ａがスリット５の左端部（−Ｘ側端部）５Ｌに当接する位置に至る区間を±Ｘ方向に移動可能になっている。なお、操作ツマミ４ａを右端部５Ｒに向けて移動させる方向（＋Ｘ方向）を閉塞方向、操作ツマミ４ａを左端部５Ｌに向けて移動させる方向（−Ｘ方向）を開放方向ともいう。
【００２１】
筐体２の上面２ｔには、操作ツマミ４ａをスリット５の右端部５Ｒに当接させたときの操作ツマミ４ａの位置を指し示す位置合わせマーク６Ｒと、スリット５の左端部５Ｌに当接させたときの操作ツマミ４ａの位置を指し示す位置合わせマーク６Ｌとが付されている。また、２つの位置合わせマーク６Ｒ，６Ｌの間には、操作ツマミ４ａをスリット５の左端部５Ｌよりもやや＋Ｘ側に位置させたときの操作ツマミ４ａの位置を指し示す位置合わせマーク６Ｃが付されている。
【００２２】
操作ツマミ４ａをスライド操作して、スリット５の右端部５Ｒに当接する位置、即ち位置合わせマーク６Ｒが指し示す位置に操作ツマミ４ａを合わせると、レンズカバー４は、図３（ａ）に示すように開口部３を閉塞し、投写レンズ１３を覆ってその射出面を保護する。また、操作ツマミ４ａをスライド操作して開放方向に移動させ、位置合わせマーク６Ｃが指し示す位置に操作ツマミ４ａを合わせると、レンズカバー４は、図３（ｂ）に示すように、投写レンズ１３の前方（−Ｙ方向）から退避し、開口部３を開放させる。この結果、開口部３から投写レンズ１３が露出し、画像の投写が可能な状態となる。操作ツマミ４ａは、さらに開放方向にスライド可能であり、スリット５の左端部５Ｌに当接する位置、即ち位置合わせマーク６Ｌが指し示す位置まで操作ツマミ４ａを移動させることができる（図３（ｃ）参照）。なお、これ以降、操作ツマミ４ａを位置合わせマーク６Ｒ，６Ｃ，６Ｌが指し示す位置に合わせたときのレンズカバー４の位置を、それぞれ「閉位置」、「第１の開位置」、「第２の開位置」と呼ぶ。
【００２３】
次に、プロジェクタ１の概略構成について説明する。
図４は、プロジェクタ１の概略構成を示すブロック図である。
図４に示すように、プロジェクタ１は、画像投写部１０、制御部２０、記憶部２１、操作パネル２２、リモコン２３、操作信号受信部２４、入力端子群２５、入力ソース選択部２６、画像処理部２７、電源回路２８、光源制御部２９、ＬＥＤ表示部３０、カバー検出部３１等で構成されている。
【００２４】
画像投写部１０は、光源１１、光変調装置としての３つの液晶ライトバルブ１２Ｒ，１２Ｇ，１２Ｂ、投写光学系としての投写レンズ１３、ライトバルブ駆動部１４等を含んでいる。画像投写部１０は、表示部に相当するものであり、光源１１から射出された光を、液晶ライトバルブ１２Ｒ，１２Ｇ，１２Ｂで変調して画像を形成し、この画像を投写レンズ１３から投写してスクリーンＳＣ等に表示する。
【００２５】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクタ１１ｂとを含んで構成されている。光源１１から射出された光は、図示しないインテグレータ光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２６】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素が形成されており、液晶に対して画素毎に駆動電圧を印加可能になっている。ライトバルブ駆動部１４が、入力される画像信号に応じた駆動電圧を各画素に印加すると、各画素は、画像信号に応じた光透過率に設定される。このため、光源１１から射出された光は、この液晶ライトバルブ１２Ｒ，１２Ｇ，１２Ｂを透過することによって変調され、画像信号に応じた画像（画像光）が色光毎に形成される。形成された各色の画像光は、図示しない色合成光学系によって画素毎に合成されてカラー画像を表す画像光となった後、投写レンズ１３によってスクリーンＳＣ等に拡大投写される。
【００２７】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクタ１の動作を統括制御する。つまり、制御部２０は、記憶部２１とともにコンピュータとして機能する。
【００２８】
記憶部２１は、マスクＲＯＭ（Read Only Memory）や、フラッシュメモリ、ＦｅＲＡＭ（Ferroelectric RAM：強誘電体メモリ）等の不揮発性のメモリにより構成されている。記憶部２１には、プロジェクタ１の動作を制御するための制御プログラムや、プロジェクタ１の動作条件等を規定する各種設定データ等が記憶されている。
【００２９】
操作パネル２２及びリモコン２３は、プロジェクタ１に対して各種指示を行うための入力操作部に相当するものであり、ユーザからの入力操作を受け付ける複数の操作キーを備えている。操作パネル２２及びリモコン２３が備える操作キーとしては、電源のオン・オフを交互に切り替えるための「電源キー」、入力ソースを切り替えるための「入力ソース切替キー」、各種設定を行うための設定メニューを重畳表示させる「メニューキー」等がある。ユーザが操作パネル２２の各種操作キーを操作すると、操作パネル２２は、ユーザの操作内容に応じた操作信号を制御部２０に出力する。また、ユーザがリモコン２３の各種操作キーを操作すると、リモコン２３は、ユーザの操作内容に応じた赤外線の操作信号を発し、操作信号受信部２４がこれを受信して制御部２０に伝達する。
【００３０】
入力端子群２５は、ビデオ再生装置やパーソナルコンピュータ等、図示しない外部の画像出力装置から、各種形式の画像信号を入力可能な複数の入力端子２５ａを備えている。各入力端子２５ａに入力された画像信号は、入力ソース選択部２６に出力される。
【００３１】
入力ソース選択部２６は、複数の入力端子２５ａのうち、制御部２０の指示に基づく１つの入力端子２５ａを選択し、この入力端子２５ａに入力される画像信号を画像処理部２７に出力する。ユーザが、操作パネル２２或いはリモコン２３に備わる入力ソース切替キーを操作して所望の入力端子２５ａを指定すると、制御部２０は、この入力端子２５ａに入力されている画像信号が画像処理部２７に出力されるよう、入力ソース選択部２６に指示をする。
【００３２】
画像処理部２７は、入力ソース選択部２６から入力される各種形式の画像信号を、液晶ライトバルブ１２Ｒ，１２Ｇ，１２Ｂの各画素の階調を表す画像情報に変換する。ここで、変換された画像情報は、Ｒ，Ｇ，Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素から射出する光の強弱（階調）が規定される。
【００３３】
さらに、画像処理部２７は、制御部２０の指示に基づいて、変換した画像情報に対して、明るさ、コントラスト、シャープネス、色合い等を調整するための画質調整処理や、入力画像上に設定メニュー等を重畳させるためのＯＳＤ（オンスクリーンディスプレイ）処理等を行い、処理後の画像情報をライトバルブ駆動部１４に出力する。
【００３４】
また、画像処理部２７は、制御部２０の指示に基づいて、すべての画素の光透過率が最小となるように、すべての画素値を最小値（０）に設定する処理を行うことができる。この場合、ライトバルブ駆動部１４には、黒色の無地画像を表す画像情報が出力される。このように、画像処理部２７は、入力画像を表す画像情報、即ち入力端子２５ａに入力された画像信号に基づく画像情報を出力する状態（通常表示状態）と、黒色の無地画像を表す画像情報を出力する状態（画像ミュート状態）とを、制御部２０の指示に応じて切り替えることができる。
【００３５】
ライトバルブ駆動部１４が、画像処理部２７から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像光を形成し、この画像光が投写レンズ１３からスクリーンＳＣに投写される。この結果、通常表示状態の場合には、入力された画像信号に基づく入力画像がスクリーンＳＣに投写される。一方、画像ミュート状態の場合には、黒色の無地画像がスクリーンＳＣに投写され、入力画像の投写が停止した状態となる。
【００３６】
電源回路２８には、外部からＡＣ１００Ｖ等の商用電源が供給される。電源回路２８は、商用電源（交流電源）を所定の電圧の直流電源に変換するとともに、プロジェクタ１の各部に電力を供給する。なお、制御部２０は、電源回路２８から電力の供給を受けて動作している間、電源回路２８に指示をして、画像の投写に必要な電力（動作電力）の供給と停止とを切り替えることができる。
【００３７】
光源制御部２９は、制御部２０の指示に基づいて、光源１１に対する電力の供給と停止とを制御し、光源１１の点灯及び消灯を切り替える。また、光源制御部２９は、制御部２０の指示に基づいて、光源１１に対する電力の供給量を制御することにより、光源１１の発光輝度を２段階（高輝度及び低輝度）に変更することができる。
【００３８】
ＬＥＤ表示部３０は、ＬＥＤ（発光ダイオード）を備えたインジケータであり、制御部２０の指示に基づいてその表示状態を切り替えることにより、ユーザにプロジェクタ１の動作状態（オン状態やスタンバイ状態、異常発生等）を報知する。なお、ＬＥＤ表示部３０は、その表示状態、即ち点灯、点滅、消灯、発光色等を適宜切り替えることによって、多数の動作状態を表すことが可能になっている。
【００３９】
カバー検出部３１は、２つの反射型のフォトインタラプタ３１ａ，３１ｂ（これ以降、フォトインタラプタ３１ａを第１のフォトインタラプタ３１ａ、フォトインタラプタ３１ｂを第２のフォトインタラプタ３１ｂともいう。）を備えており、各フォトインタラプタ３１ａ，３１ｂは、ＬＥＤ等の発光素子と、フォトトランジスタ等の受光素子（いずれも図示せず）とを有している。カバー検出部３１は、位置検出部に相当するものであり、フォトインタラプタ３１ａ，３１ｂによってレンズカバー４の位置を検出して、検出結果を制御部２０に出力する。
【００４０】
ここで、カバー検出部３１の検出方法について説明する。
図５は、筐体２の内部を示す平面図であり、図６は、レンズカバー４を裏面（投写レンズ１３と対向する＋Ｙ側の面）側から見た斜視図である。両図において、（ａ）は、レンズカバー４が閉位置にある状態、（ｂ）は、レンズカバー４が第１の開位置にある状態、（ｃ）は、レンズカバー４が第２の開位置にある状態を示している。なお、図６では、筐体２や投写レンズ１３の図示を省略している。
【００４１】
図５（ａ）〜（ｃ）に示すように、カバー検出部３１の第１のフォトインタラプタ３１ａは、投写レンズ１３の−Ｘ側、即ち開放方向側に備えられ、第２のフォトインタラプタ３１ｂは、第１のフォトインタラプタ３１ａのさらに−Ｘ側に並んで備えられている。各フォトインタラプタ３１ａ，３１ｂの発光素子は、前方（−Ｙ方向）に備わるレンズカバー４に向けて光を照射し、各フォトインタラプタ３１ａ，３１ｂの受光素子は、レンズカバー４で反射した光を受光する。
【００４２】
また、図６（ａ）〜（ｃ）に示すように、レンズカバー４の裏面４ｒは、光反射率が高くなるように、そのほとんどの領域が白色で着色されている一方で、その＋Ｘ，−Ｚ側の角部には、光反射率が低くなるように黒色で着色された低反射部４ｂが形成されている。低反射部４ｂは、図５（ｃ）、図６（ｃ）に示すように、レンズカバー４が第２の開位置にある場合に２つのフォトインタラプタ３１ａ，３１ｂと正対し、それぞれの発光素子から光の照射を受けるようになっている。また、図５（ｂ）、図６（ｂ）に示すように、レンズカバー４が第１の開位置にある場合には、低反射部４ｂは、第１のフォトインタラプタ３１ａのみと正対し、第２のフォトインタラプタ３１ｂの発光素子が発した光は、レンズカバー４の裏面４ｒの白色の部位（高反射部４ｗ）に照射される。また、レンズカバー４が閉位置にある場合（図５（ａ）、図６（ａ）参照）のように、レンズカバー４が第１の開位置よりも閉塞方向側に位置する場合には、２つのフォトインタラプタ３１ａ，３１ｂの発光素子が発した光は、ともに高反射部４ｗに照射される。
【００４３】
フォトインタラプタ３１ａ，３１ｂが低反射部４ｂに正対する場合には、高反射部４ｗに正対する場合に比べて、発光素子から照射された光の反射光量が小さくなるため、受光素子による受光量が小さくなる。受光素子は、その受光量に応じてオン・オフの状態が変化することから、カバー検出部３１は、受光素子のオン・オフの状態によってレンズカバー４の位置を特定することができる。具体的には、各フォトインタラプタ３１ａ，３１ｂの受光素子は、高反射部４ｗに正対する場合にオン状態となり、低反射部４ｂに正対する場合にオフ状態となる。このため、カバー検出部３１は、２つのフォトインタラプタ３１ａ，３１ｂの受光素子がともにオフ状態となる場合には、レンズカバー４が第２の開位置にあると特定する。また、カバー検出部３１は、第１のフォトインタラプタ３１ａの受光素子がオフ状態で、第２のフォトインタラプタ３１ｂの受光素子がオン状態の場合には、レンズカバー４が第１の開位置にあると特定し、２つのフォトインタラプタ３１ａ，３１ｂの受光素子がともにオン状態の場合には、レンズカバー４が第１の開位置よりも閉塞方向側にあると特定する。
【００４４】
次に、本実施形態のプロジェクタ１の動作について説明する。
プロジェクタ１に商用電源が供給されると、電源回路２８は、制御部２０、記憶部２１、操作パネル２２、操作信号受信部２４、ＬＥＤ表示部３０、カバー検出部３１に電力（スタンバイ電力）の供給を行い、制御部２０は、この電力供給を受けて、制御プログラムに従った動作を開始する。商用電源が供給された直後には、プロジェクタ１は、スタンバイ状態（電源がオフの状態ともいう）であり、この状態では、制御部２０は、ＬＥＤ表示部３０を所定の色（本実施形態では、オレンジ色）で点灯させるとともに、操作パネル２２やリモコン２３の電源キーに対する操作（オン操作）を監視する。スタンバイ状態においてユーザにより電源キーが操作されると、制御部２０は、電源回路２８に指示をしてプロジェクタ１の各部に動作電力を供給させ、画像の投写が可能なオン状態（電源がオンの状態ともいう）に移行させる。
【００４５】
オン状態に移行すると、制御部２０は、オン状態に移行した旨を報知するためにＬＥＤ表示部３０を他の色（本実施形態では、緑色）で点灯させるとともに、カバー検出部３１の検出結果に基づいて光源１１の輝度や画像の表示状態を定めて、画像の投写を開始させる。
【００４６】
図７は、光源１１の輝度及び画像の表示状態を定める際の動作を説明するためのフローチャートである。
図７に示すように、ステップＳ１０１では、制御部２０は、カバー検出部３１の検出結果に基づいて、レンズカバー４が第２の開位置にあるか否かを判断する。この結果、レンズカバー４が第２の開位置にある場合にはステップＳ１０２に移行し、第２の開位置にない場合にはステップＳ１０４に移行する。
【００４７】
レンズカバー４が第２の開位置にあってステップＳ１０２に移行した場合には、制御部２０は、光源制御部２９に指示をして、光源１１を高輝度で点灯させる。そして、ステップＳ１０３では、制御部２０は、画像処理部２７に指示をして画像の表示状態を通常表示状態とし、画像投写部１０から入力画像を投写（表示）させてフローを終了する。
【００４８】
ステップＳ１０１においてレンズカバー４が第２の開位置になく、ステップＳ１０４に移行した場合には、制御部２０は、光源制御部２９に指示をして、光源１１を低輝度で点灯させる。
【００４９】
続くステップＳ１０５では、制御部２０は、カバー検出部３１の検出結果に基づいて、レンズカバー４が第１の開位置にあるか否かを判断する。この結果、レンズカバー４が第１の開位置にある場合には、ステップＳ１０３に移行し、入力画像を投写（表示）させてフローを終了する。一方、レンズカバー４が第１の開位置にない場合、即ちレンズカバー４が第１の開位置よりも閉塞方向側にある場合（例えば、閉位置にある場合）には、ステップＳ１０６に移行する。
【００５０】
ステップＳ１０６に移行した場合には、制御部２０は、画像処理部２７に指示をして画像の表示状態を画像ミュート状態とし、黒色の無地画像を表示させてフローを終了する。
【００５１】
本実施形態のプロジェクタ１は、上記のように動作するため、プロジェクタ１の電源をオンにする際に、ユーザは、操作ツマミ４ａをスライド操作してレンズカバー４を第１の開位置、或いは第２の開位置に合わせておくことにより、所望の輝度で入力画像を表示させることができる。また、ユーザは、レンズカバー４を第１の開位置よりも閉塞方向側に位置させておくことにより、入力画像の表示が停止した画像ミュート状態とすることができる。
【００５２】
また、オン状態では、制御部２０は、定期的にカバー検出部３１からの検出結果を監視するようになっている。そして、ユーザの操作によりレンズカバー４が移動して、それに応じてカバー検出部３１の検出結果が変化すると、制御部２０は、上述したフロー（図７参照）に従った動作を行い、レンズカバー４の位置に基づいて光源１１の輝度或いは画像の表示状態を変化させる。つまり、ユーザは、画像の投写中であっても、レンズカバー４の位置を変化させることによって、光源１１の輝度や画像の表示状態を変更することができる。
【００５３】
以上説明したように、本実施形態のプロジェクタ１によれば、以下の効果を得ることができる。
（１）本実施形態のプロジェクタ１によれば、レンズカバー４を移動させることによって光源１１の輝度を変更する構成であるため、光源１１の輝度の変更を容易且つ直感的に行うことが可能となる。
【００５４】
（２）本実施形態のプロジェクタ１によれば、レンズカバー４が第１の開位置にある場合には光源１１を低輝度で点灯させ、レンズカバー４が第２の開位置にある場合には光源１１を高輝度で点灯させている。つまり、レンズカバー４を開放方向側に移動させた場合ほど光源１１の輝度が高くなるようにしているため、光源１１の輝度の変更をさらに直感的に行うことが可能となる。
【００５５】
（３）本実施形態のプロジェクタ１によれば、レンズカバー４が第１の開位置よりも閉塞方向側に位置する場合に、画像ミュート状態に移行させるようにしているため、画像の投写を停止した状態と、画像を低輝度で投写する状態と、画像を高輝度で投写する状態とを一連の操作で切り替えることが可能となる。この結果、光源１１の輝度の変更をさらに直感的に行うことが可能となる。
【００５６】
なお、本実施形態では、ステップＳ１０６において無地画像を表示させる際の制御部２０及び画像処理部２７が、画像停止部に相当する。
【００５７】
（第２実施形態）
以下、第２実施形態に係るプロジェクタについて、図面を参照して説明する。前記第１実施形態では、カバー検出部３１は、レンズカバー４が第１の開位置にある状態、第２の開位置にある状態、そして第１の開位置よりも閉塞方向側にある状態の３つの状態を検出可能になっていたが、本実施形態では、上記３つの状態に加えて、レンズカバー４が閉位置にある状態をも検出可能な構成になっている。
【００５８】
図８は、本実施形態のプロジェクタ１の筐体２の内部を示す平面図であり、図９は、レンズカバー４を裏面（投写レンズ１３と対向する＋Ｙ側の面）側から見た斜視図である。両図において、（ａ）は、レンズカバー４が閉位置にある状態、（ｂ）は、レンズカバー４が閉位置と第１の開位置との間（以降、半開位置と呼ぶ。）にある状態、（ｃ）は、レンズカバー４が第１の開位置にある状態、（ｄ）は、レンズカバー４が第２の開位置にある状態を示している。なお、図９では、筐体２や投写レンズ１３の図示を省略している。
【００５９】
図８（ａ）〜（ｄ）に示すように、カバー検出部３１の第１のフォトインタラプタ３１ａ、及び第２のフォトインタラプタ３１ｂは、前記第１実施形態と同様、投写レンズ１３の−Ｘ側に並んで備えられており、それぞれの発光素子は、前方に備わるレンズカバー４に向けて光を照射し、受光素子は、レンズカバー４で反射した光を受光する。
【００６０】
また、図９（ａ）〜（ｄ）に示すように、レンズカバー４の裏面４ｒには、＋Ｘ，−Ｚ側の角部に、前記第１実施形態と同一の低反射部４ｂが形成されているとともに、−Ｘ，−Ｚ側の角部にも低反射部４ｃが形成されている。低反射部４ｃは、図８（ａ）、図９（ａ）に示すように、レンズカバー４が閉位置にある場合に第２のフォトインタラプタ３１ｂのみと正対し、その発光素子から光の照射を受けるようになっている。このとき、第１のフォトインタラプタ３１ａの発光素子が発した光は、高反射部４ｗに照射される。
【００６１】
このため、カバー検出部３１は、２つのフォトインタラプタ３１ａ，３１ｂの受光素子がともにオフ状態となる場合には、レンズカバー４が第２の開位置にあると特定し、第１のフォトインタラプタ３１ａの受光素子がオフ状態で、第２のフォトインタラプタ３１ｂの受光素子がオン状態の場合には、レンズカバー４が第１の開位置にあると特定する。また、２つのフォトインタラプタ３１ａ，３１ｂの受光素子がともにオン状態の場合には、レンズカバー４が半開位置にあると特定し、第１のフォトインタラプタ３１ａの受光素子がオン状態で、第２のフォトインタラプタ３１ｂの受光素子がオフ状態の場合には、レンズカバー４が閉位置にあると特定する。
【００６２】
このように、本実施形態のプロジェクタ１は、レンズカバー４が半開位置にある場合と閉位置にある場合とをカバー検出部３１によって識別することができるため、半開位置と閉位置とで異なる動作を行うことができる。本実施形態では、レンズカバー４が半開位置にある場合には、前記第１実施形態と同様、入力画像の表示を停止させた画像ミュート状態とし、閉位置にある場合には、光源１１を消灯させるようになっている。上記以外の構成については、前記第１実施形態と共通である。
【００６３】
図１０は、本実施形態において、光源１１の輝度及び画像の表示状態を定める際の動作を説明するためのフローチャートである。
図１０に示すように、ステップＳ２０１では、制御部２０は、カバー検出部３１の検出結果に基づいて、レンズカバー４が第２の開位置にあるか否かを判断する。この結果、レンズカバー４が第２の開位置にある場合にはステップＳ２０２に移行し、第２の開位置にない場合にはステップＳ２０４に移行する。
【００６４】
レンズカバー４が第２の開位置にあってステップＳ２０２に移行した場合には、制御部２０は、光源制御部２９に指示をして、光源１１を高輝度で点灯させる。そして、ステップＳ２０３では、制御部２０は、画像処理部２７に指示をして画像の表示状態を通常表示状態とし、画像投写部１０から入力画像を投写（表示）させてフローを終了する。
【００６５】
ステップＳ２０１においてレンズカバー４が第２の開位置になく、ステップＳ２０４に移行した場合には、制御部２０は、光源制御部２９に指示をして、光源１１を低輝度で点灯させる。
【００６６】
続くステップＳ２０５では、制御部２０は、カバー検出部３１の検出結果に基づいて、レンズカバー４が第１の開位置にあるか否かを判断する。この結果、レンズカバー４が第１の開位置にある場合には、ステップＳ２０３に移行し、入力画像を投写（表示）させてフローを終了する。一方、レンズカバー４が第１の開位置にない場合にはステップＳ２０６に移行する。
【００６７】
ステップＳ２０６に移行した場合には、制御部２０は、画像処理部２７に指示をして画像の表示状態を画像ミュート状態とし、黒色の無地画像を表示させる。
【００６８】
続くステップＳ２０７では、制御部２０は、カバー検出部３１の検出結果に基づいて、レンズカバー４が閉位置にあるか否かを判断する。この結果、レンズカバー４が閉位置にある場合には、ステップＳ２０８に移行し、レンズカバー４が閉位置にない場合、即ち半開位置にある場合にはフローを終了する。
【００６９】
レンズカバー４が閉位置にあってステップＳ２０８に移行した場合には、制御部２０は、光源制御部２９に指示をして光源１１を消灯させてフローを終了する。なお、光源１１を消灯させた状態は、画像ミュート状態と同様に入力画像の投写を停止させた状態であるとともに、光源１１の輝度が最小の状態とみなすこともできる。
【００７０】
本実施形態のプロジェクタ１は、上記のように動作するため、プロジェクタ１の電源をオンにする際、或いはオン状態に移行した後において、ユーザは、操作ツマミ４ａをスライド操作してレンズカバー４を閉位置、半開位置、第１の開位置、そして第２の開位置のいずれかに合わせることにより、それぞれ光源１１が消灯した状態、画像ミュート状態、入力画像を低輝度で表示する状態、そして入力画像を高輝度で表示する状態の４つの状態の中から所望の状態に切り替えることが可能となる。
【００７１】
以上説明したように、本実施形態のプロジェクタ１によれば、前記第１実施形態と同様の効果を得ることが可能である。
【００７２】
なお、本実施形態では、ステップＳ２０６において無地画像を表示させる際の制御部２０及び画像処理部２７、並びに、ステップＳ２０８において光源１１を消灯させる際の制御部２０及び光源制御部２９が、画像停止部に相当する。
【００７３】
（変形例）
また、前記実施形態は、以下のように変更してもよい。
前記第１及び第２実施形態では、カバー検出部３１は、反射型のフォトインタラプタ３１ａ，３１ｂを用いてレンズカバー４の位置を検出する構成を示しているが、透過型のフォトインタラプタを用いた構成にすることも可能である。
図１１は、本変形例に係るプロジェクタ１のレンズカバー４を裏面側から見た斜視図であり、（ａ）は、レンズカバー４が閉位置にある状態、（ｂ）は、レンズカバー４が第１の開位置にある状態、（ｃ）は、レンズカバー４が第２の開位置にある状態を示している。
図１１（ａ）〜（ｃ）に示すように、レンズカバー４の裏面４ｒには、略垂直に突出する凸部４ｓが形成されている。凸部４ｓは、レンズカバー４が第２の開位置にある場合（図１１（ｃ）参照）に、２つの透過型のフォトインタラプタ３１ｃ，３１ｄのそれぞれの発光素子と受光素子との間に介在し、レンズカバー４が第１の開位置にある場合（図１１（ｂ）参照）には、フォトインタラプタ３１ｃのみの発光素子と受光素子との間に介在する。また、レンズカバー４が第１の開位置よりも閉塞方向側にある場合（図１１（ａ）参照）には、フォトインタラプタ３１ｃ，３１ｄの発光素子と受光素子の間に凸部４ｓは介在しない。このため、カバー検出部３１は、発光素子から受光素子に向かう光が凸部４ｓによって遮られているか否かを検知することよって、レンズカバー４の位置を判別することができる。
【００７４】
前記第１及び第２の実施形態では、カバー検出部３１が、光センサであるフォトインタラプタ３１ａ，３１ｂを用いてレンズカバー４の位置を検出する構成を示しているが、カバー検出部３１の構成はこれに限定されず、他の光センサや磁気センサ等を用いてもよい。また、光センサや磁気センサのように非接触で位置を検出する非接触式のセンサに限られず、図１２に示すような接触式のセンサを用いることも可能である。
図１２は、本変形例に係るプロジェクタ１の筐体２の内部を示す平面図であり、（ａ）は、レンズカバー４が閉位置にある状態、（ｂ）は、レンズカバー４が第１の開位置にある状態、（ｃ）は、レンズカバー４が第２の開位置にある状態を示している。
図１２（ａ）〜（ｃ）に示すように、カバー検出部３１は、投写レンズ１３の−Ｘ側、即ち開放方向側に備えられ、レンズカバー４と略平行に配置された基板４０と、基板４０の前面（−Ｙ側の面）上に±Ｘ方向に沿って配列された２つの導電パターン４１ａ，４１ｂと、導電性を有する２つの板バネ４２ａ，４２ｂとを有している。板バネ４２ａ，４２ｂの一端は、基板４０に固定され、他端は、レンズカバー４が第１の開位置よりも閉塞方向側にある場合（図１２（ａ）参照）に、導電パターン４１ａ，４１ｂとそれぞれ空隙を介して対向するように配置されている。レンズカバー４の裏面４ｒには、平面視で山型の押圧部４ｐが形成されており、レンズカバー４が第２の開位置にある場合（図１２（ｃ）参照）に、押圧部４ｐが板バネ４２ａ，４２ｂを押圧して、それぞれ導電パターン４１ａ，４１ｂに押し付けるようになっている。また、レンズカバー４が第１の開位置にある場合（図１２（ｂ）参照）には、押圧部４ｐは板バネ４２ａのみを導電パターン４１ａに押し付ける。このため、カバー検出部３１は、導電パターン４１ａ，４１ｂと板バネ４２ａ，４２ｂとが導通しているか否かを検知することによって、レンズカバー４の位置を判別することができる。
【００７５】
前記第１及び第２実施形態では、光源１１の輝度を２段階（消灯状態は除く）で変更可能になっているが、より多段階で変更できるようにしてもよい。
【００７６】
前記第１及び第２実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源１１から射出した光を変調する微小ミラーアレイデバイス等を用いることもできる。
【００７７】
前記実施形態では、光源１１は、放電型の光源ランプ１１ａによって構成されているが、ＬＥＤ（Light Emitting Diode：発光ダイオード）光源等の固体光源や、その他の光源を用いることもできる。
【図面の簡単な説明】
【００７８】
【図１】第１実施形態に係るプロジェクタの斜視図。
【図２】第１実施形態に係るプロジェクタの平面図。
【図３】第１実施形態に係るプロジェクタの正面図であり、（ａ）は、レンズカバーが閉位置にある状態を示す図、（ｂ）は、レンズカバーが第１の開位置にある状態を示す図、（ｃ）は、レンズカバーが第２の開位置にある状態を示す図。
【図４】第１実施形態に係るプロジェクタの概略構成を示すブロック図。
【図５】第１実施形態に係るプロジェクタの筐体の内部を示す平面図であり、（ａ）は、レンズカバーが閉位置にある状態を示す図、（ｂ）は、レンズカバーが第１の開位置にある状態を示す図、（ｃ）は、レンズカバーが第２の開位置にある状態を示す図。
【図６】第１実施形態に係るプロジェクタのレンズカバーを裏面側から見た斜視図であり、（ａ）は、レンズカバーが閉位置にある状態を示す図、（ｂ）は、レンズカバーが第１の開位置にある状態を示す図、（ｃ）は、レンズカバーが第２の開位置にある状態を示す図。
【図７】第１実施形態に係るプロジェクタにおいて、光源の輝度及び画像の表示状態を定める際の動作を説明するためのフローチャート。
【図８】第２実施形態に係るプロジェクタの筐体の内部を示す平面図であり、（ａ）は、レンズカバーが閉位置にある状態を示す図、（ｂ）は、レンズカバー半開位置にある状態を示す図、（ｃ）は、レンズカバーが第１の開位置にある状態を示す図、（ｄ）は、レンズカバーが第２の開位置にある状態を示す図。
【図９】第２実施形態に係るプロジェクタのレンズカバーを裏面側から見た斜視図であり、（ａ）は、レンズカバーが閉位置にある状態を示す図、（ｂ）は、レンズカバー半開位置にある状態を示す図、（ｃ）は、レンズカバーが第１の開位置にある状態を示す図、（ｄ）は、レンズカバーが第２の開位置にある状態を示す図。
【図１０】第２実施形態に係るプロジェクタにおいて、光源の輝度及び画像の表示状態を定める際の動作を説明するためのフローチャート。
【図１１】変形例に係るプロジェクタのレンズカバーを裏面側から見た斜視図であり、（ａ）は、レンズカバーが閉位置にある状態を示す図、（ｂ）は、レンズカバーが第１の開位置にある状態を示す図、（ｃ）は、レンズカバーが第２の開位置にある状態を示す図。
【図１２】変形例に係るプロジェクタの筐体の内部を示す平面図であり、（ａ）は、レンズカバーが閉位置にある状態を示す図、（ｂ）は、レンズカバーが第１の開位置にある状態を示す図、（ｃ）は、レンズカバーが第２の開位置にある状態を示す図。
【符号の説明】
【００７９】
１…プロジェクタ、２…筐体、３…開口部、４…レンズカバー、４ａ…操作ツマミ、４ｂ，４ｃ…低反射部、４ｗ…高反射部、５…スリット、６Ｒ，６Ｃ，６Ｌ…位置合わせマーク、１０…画像投写部、１１…光源、１１ａ…光源ランプ、１１ｂ…リフレクタ、１２Ｒ，１２Ｇ，１２Ｂ…液晶ライトバルブ、１３…投写レンズ、１４…ライトバルブ駆動部、２０…制御部、２１…記憶部、２２…操作パネル、２３…リモコン、２４…操作信号受信部、２５…入力端子群、２５ａ…入力端子、２６…入力ソース選択部、２７…画像処理部、２８…電源回路、２９…光源制御部、３０…ＬＥＤ表示部、３１…カバー検出部、３１ａ，３１ｂ…フォトインタラプタ、ＳＣ…スクリーン。
【図１】
2009075305.tif 000003
【図２】
2009075305.tif 000004
【図３】
2009075305.tif 000005
【図４】
2009075305.tif 000006
【図５】
2009075305.tif 000007
【図６】
2009075305.tif 000008
【図７】
2009075305.tif 000009
【図８】
2009075305.tif 000010
【図９】
2009075305.tif 000011
【図１０】
2009075305.tif 000012
【図１１】
2009075305.tif 000013
【図１２】
2009075305.tif 000014